(57)【要約】【課題】記録層が２以上設けられた光ディスクの記録層の数を検出するとともに、各記録層のフォーマット（規格）を容易に識別する光ヘッド装置及び記録層の識別方法を提供する。【解決手段】この発明の１つの実施の形態を用いることで、検出された各記録層からの反射光のピーク値をＲ１，Ｒ２，Ｒ３とするとき、「Ｒ１  ＜  Ｒ２  ≒  Ｒ３」のとき、その３層光ディスクは、１，２層目がＤＶＤ規格で３層目がＨＤ  ＤＶＤ規格のディスク、「Ｒ１  ＞  Ｒ２  ≒  Ｒ３」のとき、その３層光ディスクは、１層目がＤＶＤ規格で２，３層目がＨＤ  ＤＶＤ規格のディスク、「Ｒ１  ≒  Ｒ２  ≒  Ｒ３」のとき、その３層光ディスクは、３層ともＨＤ  ＤＶＤ規格のディスク、と    である、とする複数の記録層を有する記録媒体の記録層の層数及び各層の規格の識別方法及び各記録層の規格を識別可能な光ディスク装置が得られる。【選択図】図３
2008299954.tif 000002
【特許請求の範囲】
【請求項１】
第１の記録密度のフォーマットの記録層から情報を再生するために用いられる第１の波長の光を出射する第１の光源と、
第１の記録密度のフォーマットの記録層よりも記録密度の高い第２の記録密度のフォーマットの記録層から情報を再生するために用いられる第２の波長の光を出射する第２の光源と、
前記第１および第２の波長の光を記録媒体の任意の記録層に集光する対物レンズと、
前記対物レンズと前記任意の記録層との間のフォーカス誤差信号を得るために、前記第１および第２の波長の光が記録媒体の任意の記録層で反射された反射光を検出して、その光強度に対応する信号を出力する光検出器と、
前記光検出器により検出された前記記録媒体の各記録層の反射率を求め、取得した各記録層の反射率を比較した結果に応じて３層の記録層の各層のフォーマットを識別する演算部と、
を有する光ディスク装置。
【請求項２】
前記演算部は、前記光検出器により検出された前記記録媒体の各記録層の反射率のうちの１層めの反射率と２層めの反射率に基いて、３層の記録層の各層のフォーマットが、前記第１の波長の光により情報の再生が可能な記録層か前記第２の波長の光により情報の再生が可能な記録層かを、識別することを特徴とする請求項１記載の光ディスク装置。
【請求項３】
前記演算部は、前記光検出器により検出された前記記録媒体の各記録層に対する前記対物レンズのフォーカス誤差もしくは前記ＲＦ信号に基いて、前記各層のフォーマットが、前記第１の波長の光により情報の再生が可能な記録層か前記第２の波長の光により情報の再生が可能な記録層かを、識別することを特徴とする請求項１記載の光ディスク装置。
【請求項４】
前記演算部は、前記光検出器により検出された前記記録媒体の各記録層に対して前記対物レンズをオンフォーカス状態として得られるＲＦ信号に基いて、前記各層のフォーマットが、前記第１の波長の光により情報の再生が可能な記録層か前記第２の波長の光により情報の再生が可能な記録層かを、識別することを特徴とする請求項１記載の光ディスク装置。
【請求項５】
第１の記録密度のフォーマットの記録層から情報を再生するために用いられる第１の波長の光を出射する第１の光源と、
第１の記録密度のフォーマットの記録層よりも記録密度の高い第２の記録密度のフォーマットの記録層から情報を再生するために用いられる第２の波長の光を出射する第２の光源と、
前記第１および第２の波長の光を記録媒体の任意の記録層に集光する対物レンズと、
前記対物レンズと前記任意の記録層との間のフォーカス誤差信号を得るために、前記第１および第２の波長の光が記録媒体の任意の記録層で反射された反射光を検出して、その光強度に対応する信号を出力する光検出器と、
前記光検出器により検出された前記記録媒体の各記録層の反射率から前記記録層の層数を求め、取得した各記録層の反射率を比較した結果に応じて各記録層のフォーマットを識別する演算部と、
を有する光ディスク装置。
【請求項６】
前記演算部は、前記光検出器により検出された前記記録媒体の各記録層に対する前記対物レンズのフォーカス誤差もしくは前記ＲＦ信号に基いて、前記各層のフォーマットが、前記第１の波長の光により情報の再生が可能な記録層か前記第２の波長の光により情報の再生が可能な記録層かを、識別することを特徴とする請求項６記載の光ディスク装置。
【請求項７】
第１の記録密度のフォーマットの記録層から情報を再生するために用いられる第１の波長の光を出射する第１の光源と、
第１の記録密度のフォーマットの記録層よりも記録密度の高い第２の記録密度のフォーマットの記録層から情報を再生するために用いられる第２の波長の光を出射する第２の光源と、
前記第１および第２の波長の光を記録媒体の任意の記録層に集光する対物レンズと、
前記対物レンズと前記任意の記録層との間のフォーカス誤差信号を得るために、前記第１および第２の波長の光が記録媒体の任意の記録層で反射された反射光を検出して、その光強度に対応する信号を出力する光検出器と、
前記光検出器により検出された前記第２の光源からの前記第２の波長の光による前記記録媒体の各記録層の反射率から前記記録層の層数を求め、取得した各記録層の反射率を比較した結果に応じて各記録層のフォーマットを識別する演算部と、
を有する光ディスク装置。
【請求項８】
前記演算部は、前記光検出器により検出された前記記録媒体の各記録層に対する前記対物レンズのフォーカス誤差もしくは前記ＲＦ信号に基いて、前記各層のフォーマットが、前記第１の波長の光により情報の再生が可能な記録層か前記第２の波長の光により情報の再生が可能な記録層かを、識別することを特徴とする請求項７記載の光ディスク装置。
【請求項９】
第１の記録密度のフォーマットの記録層から情報を再生するために用いられる第１の波長の光よりも波長が短く、第１の記録密度よりも記録密度の高い第２の記録密度のフォーマットの記録層から情報を再生するために用いられる第２の波長の光を用いてフォーカスサーチ時のフォーカス誤差信号またはＲＦ信号のピークの数より記録層の数を求め、記録層の数が２つ以下である場合は、ＤＶＤ規格あるいはＨＤ  ＤＶＤ規格の記録層が２つ以下である記録媒体であると判断し、
求められた記録層の数が３である場合は、それぞれの信号のピーク値をＲ１，Ｒ２，Ｒ３とするとき、    
Ｒ１  ＜  Ｒ２  ≒  Ｒ３  のとき、その３層光ディスクは、１，２層目がＤＶＤ規格で３層目がＨＤ  ＤＶＤ規格のディスク、と識別し、    
Ｒ１  ＞  Ｒ２  ≒  Ｒ３  のとき、その３層光ディスクは、１層目がＤＶＤ規格で２，３層目がＨＤ  ＤＶＤ規格のディスク、と識別し、    
Ｒ１  ≒  Ｒ２  ≒  Ｒ３  のとき、その３層光ディスクは、３層ともＨＤ  ＤＶＤ規格のディスク、    
である、と識別することを特徴とする複数の記録層を有する記録媒体の記録層の層数及び各層の規格の識別方法。
【発明の詳細な説明】
【技術分野】
【０００１】
この発明は、記録層が２以上設けられた光ディスクの記録層の数を検出するとともに、各記録層のフォーマット（規格）を容易に識別する光ヘッド装置及び記録層の識別方法に関する。
【背景技術】
【０００２】
レーザー光を用いて情報の記録と再生が可能な情報記録媒体すなわち光ディスクが実用化されて久しい。反面、光ディスクの規格としては、ＣＤ（コンパクトディスク）規格に続いてＤＶＤ（ディジタルバーサタイルディスク）規格が登場し、ＤＶＤ規格をさらに高密度化したＨＤ  ＤＶＤ規格も既に実用化されている。
【０００３】
また、ＤＶＤ規格及びＨＤ  ＤＶＤ規格の光ディスクには、記録層の数を２以上として記録容量を高めた２層あるいはＤＬと呼ばれる光ディスクが存在する。
【０００４】
さらに、記録層が２以上である光ディスクにおいては、ＤＶＤ規格の記録層とＨＤ  ＤＶＤ規格の記録層が任意に積層された光ディスクが提案されている。
【０００５】
特許文献１には、ＤＶＤ層とＨＤ  ＤＶＤ層が１層ずつ配された２層Ｔｗｉｎ  Ｆｏｒｍａｔ  Ｄｉｓｃ（ツインフォーマットディスク）について、このディスクが再生装置に挿入された場合の層判別方法が示されている。
【特許文献１】特開２００６−３１８５４１
【発明の開示】
【発明が解決しようとする課題】
【０００６】
しかしながら、特許文献１に示された層判別方法では、    
１）１，２層目がＤＶＤで３層目がＨＤ  ＤＶＤ    
２）１層目がＤＶＤで２，３層目がＨＤ  ＤＶＤ    
３）３層ともＨＤ  ＤＶＤ    
の各層が積層された光ディスクを識別することは困難であり、しかも３層の記録層が設けられた光ディスクにも層判別方法が適用可能であることが示唆されていない。また、記録層が３層であることを判別することについても言及されていない。
【０００７】
この発明の目的は、記録層が２以上設けられた光ディスクの記録層の数を検出するとともに、各記録層のフォーマット（規格）を容易に識別する光ヘッド装置及び記録層の識別方法を提供することである。
【課題を解決するための手段】
【０００８】
この発明は、上記問題点に基づきなされたもので、第１の記録密度のフォーマットの記録層から情報を再生するために用いられる第１の波長の光を出射する第１の光源と、第１の記録密度のフォーマットの記録層よりも記録密度の高い第２の記録密度のフォーマットの記録層から情報を再生するために用いられる第２の波長の光を出射する第２の光源と、前記第１および第２の波長の光を記録媒体の任意の記録層に集光する対物レンズと、前記対物レンズと前記任意の記録層との間のフォーカス誤差信号を得るために、前記第１および第２の波長の光が記録媒体の任意の記録層で反射された反射光を検出して、その光強度に対応する信号を出力する光検出器と、前記光検出器により検出された前記記録媒体の各記録層の反射率を求め、取得した各記録層の反射率を比較した結果に応じて３層の記録層の各層のフォーマットを識別する演算部と、を有する光ディスク装置である。
【発明の効果】
【０００９】
この発明の実施の形態の１つによれば、ＤＶＤ規格とＨＤ  ＤＶＤ規格の両方を規格の光ディスクを再生することの出来る（つまりＤＶＤ用の波長６５０ｎｍのレーザーとＨＤ  ＤＶＤ用の波長４０５ｎｍのレーザーの両方を搭載した）光ディスク装置において、波長４０５ｎｍのレーザーによりフォーカスサーチ動作することにより、その光ディスクの記録層の層数を識別することができる。また、記録層の数が３層であることが識別できた場合、
Ｒ１  ＜  Ｒ２  ≒  Ｒ３  のとき、その３層光ディスクは１，２層目がＤＶＤ規格で、３層目がＨＤ  ＤＶＤ規格、    
Ｒ１  ＞  Ｒ２  ≒  Ｒ３  のとき、その３層光ディスクは１層目がＤＶＤ規格で、２，３層目がＨＤ  ＤＶＤ規格、    
Ｒ１  ≒  Ｒ２  ≒  Ｒ３    のとき、その３層光ディスクは、３層ともＨＤ  ＤＶＤ規格の光ディスクであると、容易に識別できる。
【００１０】
なお、いずれの３層のタイプであっても、Ｒ２  ≒  Ｒ３であるため、実際は、Ｒ１とＲ２の大小を比較すれば良く、各記録層のフォーマット（規格）を容易に識別できることにより、記録層が３層の光ディスクの各層のフォーマット（規格）を効率よく判別できるとともに、各記録層に記録されているデータ（各記録層に収録されているコンテンツ）を再生するために要求される時間が低減される。
【発明を実施するための最良の形態】
【００１１】
以下、図面を参照して、本発明の実施の形態の一例について説明する。
【００１２】
図１は、この発明の実施の形態の一例が適用可能な光ディスク装置の概略ブロック図を示す。なお、本発明による光ディスク装置は、映像及び音声が記録可能なレコーダ装置やビデオカメラ等も含まれる。もちろん、パーソナルコンピュータ（ＰＣ）に搭載、あるいは外付けされるディスクドライブ装置もしくは自動車等に搭載されるナビゲーション装置であってもよいことはいうまでもない。
【００１３】
図１に示す光ディスク装置１は、例えば波長４００〜４１０ｎｍの範囲の紫色波長帯、好ましくは４０５ｎｍのレーザー光を出射する第１の半導体レーザー素子１１、波長６５０〜６８０ｎｍの範囲の赤色波長帯、好ましくは６５５ｎｍのレーザー光を出射する第２の半導体レーザー素子１３、第１及び第２の半導体レーザー素子１１，１３からのそれぞれの波長のレーザー光を、例えば第１の半導体素子１１からのレーザー光は透過により、第２の半導体レーザー素子１３からのレーザー光は反射により、相互に重ね合わせるダイクロイックイプリズム１５、ダイクロイックプリズム１５により重ね和せられたそれぞれのレーザー光をコリメートするコリメートレンズ１７、コリメートレンズ１７によりコリメートされたレーザー光を記録媒体すなわち光ディスクＤの任意の記録層（レイヤー）に集光する対物レンズ１９を含む。
【００１４】
なお、コリメートレンズ１７と対物レンズ１９との間には、コリメートレンズ１７の側から、光ディスクＤで反射された反射レーザー光を光検出器２１に向けて反射する偏向ビームスプリッタ２３、光ディスクの記録面に向かうレーザー光と光ディスクの記録面で反射された反射レーザー光の偏向の方向を制御するλ／板２５が設けられている。また、偏向ビームスプリッタ２３と光検出器２１との間には、光検出器２１の受光面に反射レーザー光を結像させる結像レンズ２７及び反射レーザー光に所定の結像特定を与える光学要素２９が設けられている。
【００１５】
光検出器２１の受光部は、例えば互いに直交する２直線により区分された複数の受光領域を有し、それぞれの受光部から光強度に応じた電流を出力する。出力された電流は、図示しないＩ／Ｖアンプ（電流電圧変換）により電圧に変換された後、演算回路３１に入力される。入力された電圧信号は、演算回路３１により、フォーカス誤差信号、トラック誤差信号あるいはＲＦ（再生出力）信号として処理され、出力される。
【００１６】
対物レンズ１９は、光ディスクＤの記録面と直交するフォーカス制御方向、光ディスクＤの記録面に平行で、光ディスクＤに予め記録されている記録マーク列あるいは案内溝を横切る半径方向であるトラック制御方向、並びに光ディスクＤが回転される際に生じる面ぶれに起因するタンジェンシャル方向等の変位に追従可能に、アクチュエータ３３に保持され、サーボドライバ３５から供給されるフォーカス／トラック／タンジェンシャル方向のそれぞれに対して、光ディスクＤの記録面と一定の関係に維持される。
【００１７】
光ディスクＤは、ＤＶＤ規格の記録層またはＨＤ（High-Definition）  ＤＶＤ規格の記録層が合計で３層の記録層が順に形成（積層）されたもので、対物レンズ１９に近い側すなわち光入射面側から順に、Ｌ０（第１）層、Ｌ１（第２）層及びＬ２（第３）層を含む。
【００１８】
なお、それぞれの層の組み合わせとしては、    
１）第１層（Ｌ０層）及び第２層（Ｌ１層）がＤＶＤ規格で第３層（Ｌ２）層がＨＤ  ＤＶＤ規格層、    
２）第１層（Ｌ０層）のみがＤＶＤ規格で第２（Ｌ１層）及び第３層（Ｌ２）層がＨＤ  ＤＶＤ規格層、    
３）第１層（Ｌ０層）ないし第３層（Ｌ２層）のいずれもがＨＤ  ＤＶＤ規格層、    
である光ディスクについて考察する。
【００１９】
なお、記録層の組み合わせとしては、第１層（Ｌ０層）、または第１層と第２層（Ｌ１層）がＨＤ  ＤＶＤ規格層で第２層（Ｌ１層）と第３層（Ｌ２層）あるいは第３層（Ｌ２層）がＤＶＤ規格層である光ディスクも製造可能であるが、現在ＤＶＤ規格の光ディスクを再生可能なドライブしか所有していないユーザが、将来ＨＤ  ＤＶＤ規格の光ディスクを再生可能なドライブを購入したときのためにＤＶＤ規格の記録層とＨＤ  ＤＶＤ規格の記録層を持つツインフォーマットディスクと呼ばれる規格においては、現状のＤＶＤ規格の光ディスクを再生可能であることが優先されるため、ＨＤ  ＤＶＤ規格の記録層よりも深い（光入射面から遠い）記録層にＤＶＤ規格の記録層が設けられた場合は、ＤＶＤ規格の光ディスクを再生可能なドライブでは、ＤＶＤ規格の記録層にアクセスできないことが予想される。従って、ＤＶＤ規格の記録層及びＨＤ  ＤＶＤ規格の記録層の組み合わせとしては、上記１）〜３）について考慮すればよい。
【００２０】
なお、上述したツインフォーマットディスクは、記録層が２層であることを前提としており、ＤＶＤ規格の記録層とＨＤ  ＤＶＤ規格の記録層が、各１層づつ設けられることを前提としている。
【００２１】
反面、ディスク製造プロセスの発達により、１枚の光ディスクに３つの記録層を設けることが既に実用化されており、この結果、上述したような３つの各層が、それぞれＤＶＤ規格の記録層、あるいはＨＤ  ＤＶＤ規格の記録層である光ディスクも量産されようとしている。この場合、従来のようにリードインエリアやデータエリア、ＢＣＡ領域等を実際に再生してディスクを判別する方法では、ディスク判別が煩雑になるとともに、ディスクに収録されているコンテンツ（データ）の再生までに要求される時間が、不所望に増大する虞がある。なお、片面から見て記録層が３層存在するというディスク自体が今までになかったものであり、よって、効率的なディスク判別方法は、現在のところ実現しない。
【００２２】
本発明は、記録層が３層の光ディスクの各層のフォーマット（規格）を、効率よく判別する方法を提供するものである。
【００２３】
図２に示すように、記録層が３層の光ディスクとしては、ＤＶＤ２層＋ＨＤ  ＤＶＤ１層の３層光ディスク（図２（ａ））、ＤＶＤ１層＋ＨＤ  ＤＶＤ２層の３層光ディスク（図２（ｂ））、及び３層ともＨＤ  ＤＶＤである光ディスク（図２（ｃ））について考察すればよいことは、既に説明した通りである。なお、ＤＶＤ層を含む場合は、必ずＤＶＤ層が第１層（レーザー光の入射側）に配置されることも上述した通りである。
【００２４】
すなわち、既に広く普及しているＤＶＤ規格の光ディスクについてのみコンテンツ（データ）が再生可能なドライブにおいては、ＤＶＤ層の反射膜は、一般にＡｇ合金であり、波長４０５ｎｍ（ＨＤ  ＤＶＤ向け）のレーザーに対してはある程度透過性を示すが、波長６５０ｎｍのレーザーに対しては高い反射率を示す。従って、上述したように、現行のＤＶＤ規格向けのドライブでは、奥側に用意されるＨＤ  ＤＶＤ層が見えないことで通常のＤＶＤディスクとして判別される（ＤＶＤ向けに６５０ｎｍの波長のレーザー光を出射する半導体レーザー素子のみが設けられたドライブでは、ＨＤ  ＤＶＤ規格の記録層の存在を検出できない）。
【００２５】
反面、ＤＶＤ規格／ＨＤ  ＤＶＤ規格の記録層が、合計で３層積層された光ディスクにおいては、波長４０５ｎｍのレーザ光を用いて、各記録層の反射率を求めることにより、記録層が３層である光ディスクを、上述した１）〜３）のいずれかに、区分（特定）できることになる。
【００２６】
詳細には、表１〜表３に示すように、レーザー光入射面から見て１番目の層（Ｌａｙｅｒ０）をＬ０層、レーザー光入射面から見て２番目の層（Ｌａｙｅｒ１）をＬ１層、レーザー光入射面から見て３番目の層（Ｌａｙｅｒ２）をＬ２層とし、波長４０５ｎｍのレーザー光を照射した際の反射率を求めると、    
【表１】
2008299954.tif 000003
【００２７】
【表２】
2008299954.tif 000004
【００２８】
【表３】
2008299954.tif 000005
【００２９】
が得られる。
【００３０】
すなわち、表１〜表３から、    
Ｌ０×１．５  ＜  Ｌ１  ならば、図２（ａ）のディスク、    
Ｌ０  ＞  Ｌ１×１．７  ならば、図２（ｂ）のディスク、    
それ以外、（Ｌ０×０．６９  ＜  Ｌ１  ＜  Ｌ０×１．４５）ならば、図２（ｃ）のディスク（ｃ）    
と識別（判別）できる。
【００３１】
なお、本願で言うＨＤ  ＤＶＤ規格の記録層は、現在市販されている１層あたり１５ＧＢのディスク（トラックピッチ４００ｎｍ，最短ピット長２０４ｎｍ）タイプに限らず、若干密度が高められている１７ＧＢ程度のディスク等も含む。また、将来的には、情報を記録可能なタイプすなわちＨＤ  ＤＶＤ（−Ｒ（追記型），ＲＷ（書き換え型），ＲＡＭ（書き換え型））にも適用可能であることはいうまでもない。
【００３２】
ＤＶＤ規格の記録層についても同様であり、すなわち言い換えればＤＶＤ層というのは波長６５０ｎｍのレーザー光で再生する層、ＨＤ  ＤＶＤ層というのは波長４０５ｎｍのレーザー光で再生する層全般の事を指していると考えても良い。
【００３３】
次に、図２に示した３タイプの３つの記録層を有する光ディスクのディスク種別判別方法について、図３のフローチャートに従って説明する。
【００３４】
まず、図１に示した光ディスク装置のように、少なくとも波長４０５ｎｍと６５０ｎｍの２種以上の波長のレーザー光を出射可能なレーザー素子を搭載し、ＤＶＤ規格とＨＤ  ＤＶＤ規格の両方のディスクが再生できる光ディスク装置に、３層ディスクを挿入する。
【００３５】
以下、図３に示すように、波長４０５ｎｍのレーザー光によりフォーカスサーチ（フォーカシング）する（Ｓ１）。なお、最初に、従来の（ＤＶＤ規格の）光ディスクが挿入されたときのディスク判別ルーチンが行われても良い。しかし、従来のＤＶＤ規格の光ディスクに対応する検出方法では、波長６５０ｎｍのレーザーを用いることにより、手前（Ｌ０）の層の反射率が高すぎるために、奥の層まで光が届かず、ディスク全体の層数がわからない。従って、既に説明したように、波長６５０ｎｍのレーザー光を用いる現行のＤＶＤ規格向けのディスクドライブ装置では、３層ディスクは識別できないため、実質的に、上記ステップＳ１による「波長４０５ｎｍのレーザー光によりフォーカスサーチ」から実行することに問題はない。
【００３６】
ステップＳ１により、波長４０５ｎｍのレーザー光を用いてフォーカスサーチを行った場合、図４に示すような３つのフォーカス誤差信号と３つのＲＦ信号が得られる。すなわち、フォーカスサーチを行っている間は、レーザーの焦点位置が、各記録層を跨いで前後するため、フォーカス誤差信号（光検出器２１の分割された所定の検出領域に入力される光に対応する信号の差信号）やＲＦ信号（光検出器２１の分割された所定の検出領域に入力される光に対応する信号の和信号）は、図４のように、記録層の有無に一致する。信号は、焦点が各層を跨ぐときにピークを取るため、その各ピーク値をＲ１，Ｒ２，Ｒ３としたとき、このＲ１，Ｒ２，Ｒ３は、それぞれ入射方向から見て１層目（レイヤー０（Ｌ０層）），２層目（レイヤー１（Ｌ１層）），３層目（レイヤー２（Ｌ２層））の反射率に比例した値となる。すなわち、フォーカス誤差信号またはＲＦ信号のピークの数より記録層の層数が判別できる。
【００３７】
再び図３のフローチャートを参照すれば、フォーカスサーチ時のフォーカス誤差信号とＲＦ信号のピークの数より記録層の数がわかり、それが２つ以下（３以外）である場合は従来の２層ディスクであるため、従来のディスク判別方法へ移る（Ｓ２−ＮＯ）。３つである場合（Ｓ２−ＹＥＳ）は、３層ディスクが挿入されたことになり、本発明のディスク判別方法へと処理が移る。
【００３８】
すなわち、ピークが３つで値がＲ１，Ｒ２，Ｒ３だった場合（Ｓ３）、表１より、    
Ｒ１  ＜  Ｒ２  ≒  Ｒ３  のとき、その３層光ディスクは、１，２層目がＤＶＤで３層目がＨＤ  ＤＶＤ（図２（ａ）のディスク）、    
Ｒ１  ＞  Ｒ２  ≒  Ｒ３  のとき、その３層光ディスクは、１層目がＤＶＤで２，３層目がＨＤ  ＤＶＤ（図２（ｂ）のディスク）、    
Ｒ１  ≒  Ｒ２  ≒  Ｒ３  のとき、その３層光ディスクは、３層ともＨＤ  ＤＶＤ（図２（ｃ）のディスク）、    
であることがわかる。
【００３９】
処理としては、図２のフローチャートに示すように「Ｒ１  ＜  Ｒ２」か否かが判定され、    
Ｒ１  ＜  Ｒ２  であれば、ＤＶＤ２層＋ＨＤ  ＤＶＤ１層のディスク（Ｓ４−ＹＥＳ）、そうでなければ（Ｓ４−ＮＯ）、ステップＳ５により「Ｒ１  ＞  Ｒ２」か否かが判定され、    
Ｒ１  ＞  Ｒ２  であれば、ＤＶＤ１層＋ＨＤ  ＤＶＤ２層のディスク（Ｓ５−ＹＥＳ）、    
そうでなければ（Ｓ５−ＮＯ）により、    
３層ともＨＤ  ＤＶＤ層のディスク    
と判別できる。
【００４０】
すなわち、波長４０５ｎｍのレーザー光により    →    
［１］  フォーカスサーチを行って各層のフォーカス誤差信号またはＲＦ信号のピーク値（Ｒ１，Ｒ２，Ｒ３）を検出、あるいは    
［２］  各層にフォーカスをかけて各層の反射率（Ｒ１，Ｒ２，Ｒ３）を検出    
Ｒ１  ＜  Ｒ２  →  ＤＶＤ×２層＋ＨＤ  ＤＶＤ×１層のディスク    
Ｒ１  ＞  Ｒ２  →  ＤＶＤ×１層＋ＨＤ  ＤＶＤ×２層のディスク    
＜＜ＮＯ＞＞  Ｒ１  ＝  Ｒ２  →  ＨＤ  ＤＶＤ×３層のディスク    
を判別できる。
【００４１】
もちろん、上記「Ｒ１  ＜  Ｒ２」の判定及び「Ｒ１  ＞  Ｒ２」の判定の順番は入れ替わっても良く、また表１より、「Ｒ１≒Ｒ２」であれば、以降を省略して、ＨＤ  ＤＶＤ３層のディスクであると判別しても良い。
【００４２】
また、大小関係については、表１より、例えば１．５倍から２倍以上の差が付いたら大小関係有り、そうでなければ等しいと考えれば、ディスク製造時の反射率のばらつきを考慮しても誤りなく判別することができる。
【００４３】
なお、Ｒ１，Ｒ２，Ｒ３の求め方としては、上記［２］に示したように、実際に各層にフォーカスをかけて、そのＲＦ信号を取得して各層の反射率を求めても良い。
【００４４】
以上説明したように、この発明の実施の形態の１つによれば、ＤＶＤ規格とＨＤ  ＤＶＤ規格の両方を規格の光ディスクを再生することの出来る（つまりＤＶＤ用の波長６５０ｎｍのレーザーとＨＤ  ＤＶＤ用の波長４０５ｎｍのレーザーの両方を搭載した）光ディスク装置において、波長４０５ｎｍのレーザーによりフォーカスサーチ動作することにより、その光ディスクの記録層の層数を識別することができる。また、記録層の数が３であった場合には、フォーカス誤差信号あるいはフォーカスサーチ時のＲＦ信号もしくは各層にフォーカスをかけた場合の（オンフォーカス状態での）ＲＦ信号のいずれかより、各層の反射率Ｒ１、Ｒ２，Ｒ３を求め、    
Ｒ１  ＜  Ｒ２  ≒  Ｒ３  のとき、その３層光ディスクは１，２層目がＤＶＤ規格で、３層目がＨＤ  ＤＶＤ規格、    
Ｒ１  ＞  Ｒ２  ≒  Ｒ３  のとき、その３層光ディスクは１層目がＤＶＤ規格で、２，３層目がＨＤ  ＤＶＤ規格、    
Ｒ１  ≒  Ｒ２  ≒  Ｒ３    のとき、その３層光ディスクは、３層ともＨＤ  ＤＶＤ規格の光ディスクであると、容易に識別できる。
【００４５】
なお、いずれの３層のタイプであっても、Ｒ２  ≒  Ｒ３であるため、実際は、Ｒ１とＲ２の大小を比較すれば良く、各記録層のフォーマット（規格）を容易に識別できることにより、記録層が３層の光ディスクの各層のフォーマット（規格）を効率よく判別できるとともに、各記録層に記録されているデータ（各記録層に収録されているコンテンツ）を再生するために要求される時間が低減される。
【００４６】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００４７】
【図１】この発明の実施の形態の一例が適用可能な光ディスク装置の一例を示す概略ブロック図。
【図２】図１の光ディスク装置において再生可能な記録層が３つの光ディスクの各記録層の組み合わせを説明する概略図。
【図３】図１の光ディスク装置において図２に示した記録層が３つの光ディスクの各記録層を識別するためのフローを説明するフローチャート。
【図４】図１の光ディスク装置において再生可能な記録層が３つの光ディスクの各記録層の組み合わせからの反射レーザー光とフォーカス誤差信号及びＲＦ信号の一例を説明する概略図。
【符号の説明】
【００４８】
１…光ディスク装置、１１…第１の波長（４０５ｎｍ）のレーザー光を出射する半導体レーザー素子、１３…第２の波長（６５０ｎｍ）のレーザー光を出射する半導体レーザー素子、１５…ダイクロイックプリズム、１７…コリメートレンズ、１９…対物レンズ、２１…光検出器、２３…偏向ビームスプリッタ、２５…λ／板、２７…結像レンズ、２９…光学要素、３１…演算回路、３３…アクチュエータ、３５…サーボドライバ。
【図１】
2008299954.tif 000006
【図２】
2008299954.tif 000007
【図３】
2008299954.tif 000008
【図４】
2008299954.tif 000009